(57)【要約】【課題】  受液器８の下端に収納されたフィルタ９のメッシュ部13に冷媒21を放射方向外方へより均一に通過させること。【解決手段】  フィルタ９として、本体部10の上端に複数の脚部11が立設され、その内面側にメッシュ部13が配置されたものにおいて、その各脚部11に欠切部14を設け、冷媒がその欠切部14を周方向に通過するように構成する。【選択図】        図３
2013145093.tif 000002
【特許請求の範囲】
【請求項１】
多数のフィン(1)とチューブ(2)とからなるコア(3)の両側で、ヘッダ(4)を上下方向に立設し、それに各チューブ(2)の両端が連通した凝縮器(5)と、その一方のヘッダ(4)に並列され、そのヘッダ(4)の上下に離間した一対の冷媒の出口(6)と入口(7)で、互いに連通された気液分離用の円筒状の受液器(8)と、その受液器(8)の内周に外周が略整合し、その受液器(8)に挿脱自在に挿入され、前記一対の出口(6)と入口(7)との間の冷媒流路中に配置される円筒状のフィルタ(9)と、を具備する凝縮器用受液器のフィルタにおいて、
前記フィルタ(9)は、下部に位置する本体部(10)と、その本体部(10)の上端の周縁から立設され、周方向に互いに離間した複数の補強用の脚部(11)と、その脚部(11)の内面位置に配置された筒状のメッシュ部(13)とを具備し、
前記脚部(11)の高さ方向の一部に、冷媒の流通促進用の欠切部(14)が、脚部の外側から内側に設けられ、
ヘッダ(4)の前記出口(6)から受液器(8)に流入する冷媒が、メッシュ部(13)の上端開口からその内部を軸方向に流通して、メッシュ部(13)を放射方向の外方へ通過し、ついでメッシュ部(13)の外面側を周方向に流通するとき、その冷媒が前記欠切部(14)を通って、前記ヘッダ(4)の入口(7)に円滑に導かれるように構成された凝縮器用受液器のフィルタ。
【請求項２】
請求項１に記載の凝縮器用受液器のフィルタにおいて、
前記脚部(11)が３以上存在し、各脚部(11)の内面間を３以上の仕切部(15)で区切った凝縮器用受液器のフィルタ。
【請求項３】
請求項１または請求項２に記載の凝縮器用受液器のフィルタにおいて、
前記各脚部(11)に整合する複数の内脚(12a)を有し、その内脚(12a)の上端間が上リング部(12b)により連結された内脚付きのリング部材(12)を有し、
複数の前記脚部(11)の内面側に配置されたメッシュ部(13)の内側が、前記内脚付きリング部材(12)で支持された凝縮器用受液器のフィルタ。
【請求項４】
請求項１または請求項２に記載の凝縮器用受液器のフィルタにおいて、
複数の前記脚部(11)と前記メッシュ部(13)とが樹脂の一体成形よりなる凝縮器用受液器のフィルタ。
【発明の詳細な説明】
【技術分野】
【０００１】
本発明は、受液器が凝縮器に一体的に設けられたものであって、その受液器内部に着脱自在に挿入されるフィルタに関する。
【背景技術】
【０００２】
自動車用空調装置の冷凍サイクルの凝縮器として、受液器を一体構造として備えるものが特許文献１に記載され、さらに他に特許文献２〜４が知られている。それら、いずれも、その凝縮器と一体の受液器内にフィルタを挿脱自在に内装し、冷媒中の異物を除去するものである。
【０００３】
このフィルタを、受液器に着脱自在に装着するため、その外周にネジを螺刻した本体部と、その上端面周縁に立設した複数の補強用の柱部と、各柱部間を連結するメッシュとを有する。そして、受液器と凝縮器のヘッダタンクとの間が上下に離間して、冷媒の出口と入口とで互いに連通され、凝縮器のヘッダタンクの上側の出口から流入した冷媒がフィルタ内部を通過して下側の入口から凝縮器のヘッダタンクに戻される。
【先行技術文献】
【特許文献】
【０００４】
【特許文献１】米国特許第５，４１９，１４１号公報
【特許文献２】特開２００９−２７６０１１号公報
【特許文献３】特開２０１１−０４７６３４号公報
【特許文献４】特許第３６２９８１９号公報
【発明の概要】
【発明が解決しようとする課題】
【０００５】
従来の受液器は、その冷媒の入口が凝縮器のヘッダに隣接した位置に開口されているため、フィルタを通過した冷媒がその入口付近に集中し、フィルタ全周を均一に流通せず、その結果、フィルタの一部のみに目詰まりが生じる欠点があった。
そこで本発明は、可能な限り冷媒を筒状のメッシュ部の放射方向により均一に流出させて、部分的目詰まりを防止することを課題とする。
【課題を解決するための手段】
【０００６】
請求項１に記載の本発明は、多数のフィン(1)とチューブ(2)とからなるコア(3)の両側で、ヘッダ(4)を上下方向に立設し、それに各チューブ(2)の両端が連通した凝縮器(5)と、その一方のヘッダ(4)に並列され、そのヘッダ(4)の上下に離間した一対の冷媒の出口(6)と入口(7)で、互いに連通された気液分離用の円筒状の受液器(8)と、その受液器(8)の内周に外周が略整合し、その受液器(8)に挿脱自在に挿入され、前記一対の出口(6)と入口(7)との間の冷媒流路中に配置される円筒状のフィルタ(9)と、を具備する凝縮器用受液器のフィルタにおいて、
前記フィルタ(9)は、下部に位置する本体部(10)と、その本体部(10)の上端の周縁から立設され、周方向に互いに離間した複数の補強用の脚部(11)と、その脚部(11)の内面位置に配置された筒状のメッシュ部(13)とを具備し、
前記脚部(11)の高さ方向の一部に、冷媒の流通促進用の欠切部(14)が、脚部の外側から内側に設けられ、
ヘッダ(4)の前記出口(6)から受液器(8)に流入する冷媒が、メッシュ部(13)の上端開口からその内部を軸方向に流通して、メッシュ部(13)を放射方向の外方へ通過し、ついでメッシュ部(13)の外面側を周方向に流通するとき、その冷媒が前記欠切部(14)を通って、前記ヘッダ(4)の入口(7)に円滑に導かれるように構成された凝縮器用受液器のフィルタである。
【０００７】
請求項２に記載の本発明は、請求項１に記載の凝縮器用受液器のフィルタにおいて、
前記脚部(11)が３以上存在し、各脚部(11)の内面間を３以上の仕切部(15)で区切った凝縮器用受液器のフィルタである。
【０００８】
請求項３に記載の本発明は、請求項１または請求項２に記載の凝縮器用受液器のフィルタにおいて、
前記各脚部に整合する複数の内脚(12a)を有し、その内脚(12a)の上端間が上リング部(12b)により連結された内脚付きのリング部材(12)を有し、
複数の前記脚部(11)の内面側に配置されたメッシュ部(13)の内側が、前記内脚付きリング部材(12)で支持された凝縮器用受液器のフィルタである。
【０００９】
請求項４に記載の本発明は、請求項１または請求項２に記載の凝縮器用受液器のフィルタにおいて、
複数の前記脚部(11)と前記メッシュ部(13)とが樹脂の一体成形よりなる凝縮器用受液器のフィルタである。
【発明の効果】
【００１０】
本発明のフィルタは、脚部11の高さ方向の一部に、冷媒の流通促進用の欠切部14が、脚部の外側から内側に設けられて、冷媒がメッシュ部13を放射方向の外方へ通過し、ついでメッシュ部13の外面側を周方向に流通するとき、その冷媒が前記欠切部14を通って、ヘッダ４の入口７に円滑に導かれるように構成されたものである。
そのため、ヘッダ４の入口７から遠い位置のメッシュにも冷媒がより多く放射方向に通過する。これは、欠切部14の存在により、冷媒の周方向への流通抵抗を減じて、その流通を促進させるからである。それにより、ヘッダ４の入口７から遠い位置のメッシュにも冷媒がより多く通過し、メッシュの各部により均等に冷媒を流通させて、メッシュの部分的な目詰まりを防止でき、フィルタの寿命を長くできる。
【図面の簡単な説明】
【００１１】
【図１】本発明のフィルタ９の斜視図。
【図２】図１のII−II矢視断面図。
【図３】同フィルタ９を受液器８に収納した状態を示す縦断面図。
【図４】図３のIV部拡大図。
【図５】図４のＶ−Ｖ矢視断面図。
【図６】本発明の第２実施例のフィルタ９の斜視図。
【図７】同フィルタ９の縦断面図。
【発明を実施するための形態】
【００１２】
次に、図面に基づいて、本発明の実施の形態につき説明する。
図１〜図５は本発明の実施例であり、この例では、フィルタ９が本体部10とメッシュ部13とリング部材12との３部品からなる。
本体部10は、外周に雄ねじ19が形成されるとともに、その雄ねじ19より下方位置に環状溝22が形成される。また、下面には螺回用の工具嵌着孔20が設けられている。さらに、本体部10の上端の周縁から周方向に離間して、この例では４本の補強用の脚部11が一体に立設されている。これらは樹脂成形体からなる。そして、それぞれの脚部11の高さ方向中間位置には、その外周側に断面コ字状の欠切部14が形成される。
【００１３】
次にメッシュ部13は、金網又はプラスチックの網からなり、脚部11の内面に挿入される。なお、このメッシュ部13と脚部11とを一体にプラスチック材で成形することも可能である。リング部材12は、そのメッシュ部13を内面側から支持するものであり、上下に離間して環状の上リング部12ｂと下リング部12ｃとを有し、それらの間を内脚12ａで連結する。
そして、本体部10の脚部11内にメッシュ部13を挿入するとともに、その内面側にリング部材12を挿入してフィルタ９を完成する。
【００１４】
また、これに代えて、図７のごとく、本体部10と脚部11とメッシュ部13とを樹脂材で一体に成形することも可能である。また、メッシュ部13を金網で形成し、それを本体部10にインサート成形することも可能である。そして、この場合、脚部11上端間をリング部で一体に連結する。
【００１５】
このように構成されたフィルタ９は、図３及び図４に示すごとく、筒状の受液器８の下端に設けた雌ネジに螺着されるとともに、Ｏリング23が本体部10の環状溝22に挿入されて、フィルタ９と受液器８との間を液密にする。凝縮器５は公知のものであって、アルミニウムの押出材等からなる多数、水平に配置した偏平なチューブ２と、そのチューブ間に配置したフィン１とでコア３を構成し、そのコア３の両端に一対のヘッダ４（右側を省略）を立設する。そして、それぞれのチューブ２の両端部をヘッダ４に連通する。
【００１６】
このヘッダ４の下部には、ヘッダ内仕切16が設けられ、そのヘッダ内仕切16より下方に冷媒の過冷却部18を、それより上方に凝縮部17を形成する。そして、ヘッダ内仕切16を挟んで上下に一対の出口６と入口７設け、それらを介し、受液器８が連結される。この受液器８は、ヘッダ４の凝縮部17の出口６から流入した冷媒21を気液分離するものである。その冷媒21は、フィルタ９の上端開口から下方に流下し、それが放射方向外側を通過する。そして、外側に流出した冷媒21は、図５に示すごとく、各脚部11の欠切部14を周方向に移動し、入口７から凝縮器５のヘッダ４の過冷却部18に流入する。このとき、脚部11の欠切部14は、メッシュ部13を放射方向に通過した冷媒21を円滑に周方向に流通させて、それを入口７に導くものである。
このような欠切部14の存在によって、冷媒21はメッシュ部13の各部を放射方向により均一に通過することができ、メッシュの部分的な目詰まりを防止する。
【００１７】
次に、図６は本発明の第２実施例であり、この例が図１のそれと異なる点は、仕切部15の存在である。この仕切部15は各脚部11間をフィルタの内部で四つに仕切る。それにより、内部に流入した冷媒を各仕切部15により放射方向に等分に流出させるものである。そして、この仕切部15により、メッシュ部13の各部により均一に冷媒を通過させ、目詰まりをさらに効果的に防止できる。
【符号の説明】
【００１８】
１  フィン
２  チューブ
３  コア
４  ヘッダ
５  凝縮器
６  出口
７  入口
【００１９】
８  受液器
９  フィルタ
10  本体部
11  脚部
12  リング部材
12a  内脚
12b  上リング部
12c  下リング部
【００２０】
13  メッシュ部
14  欠切部
15  仕切部
16  ヘッダ内仕切
17  凝縮部
18  過冷却部
【００２１】
19  雄ねじ
20  工具嵌着孔
21  冷媒
22  環状溝
23  Ｏリング
【図１】
2013145093.tif 000003
【図２】
2013145093.tif 000004
【図３】
2013145093.tif 000005
【図４】
2013145093.tif 000006
【図５】
2013145093.tif 000007
【図６】
2013145093.tif 000008
【図７】
2013145093.tif 000009